(57)【要約】      （修正有）【課題】ハンドルバーに取り付けられた中間部部材によって傘をショッピングカートの後ろ側に保持することができ、また、傘を保持しないときには中間部保持部材が邪魔にならないようにするショッピングカートを提供する。【解決手段】ショッピングカート１は、支柱１０，１０と上段のカゴ置き３０と下段のカゴ置き４０とを備え、さらに傘を立てて保持するために、傘の長さ方向の中間部を保持するための中間部保持部材５０と、傘の石突を保持するための石突保持部６０とを備える。中間部保持部材５０は、傘の中間部を抱持して保持する抱持部５１を含み、左右方向に延びるハンドルバー２１に取り付けられている。抱持部５１は、非傘保持時にハンドルバー２１の下方に垂れていて、傘保持時に後方へ変位させて使用する。【選択図】図１
0003211631.tif 000002
【実用新案登録請求の範囲】
【請求項１】
傘を立てて保持するために、傘の長さ方向の中間部を保持するための中間部保持部材と、傘の石突を保持するための石突保持部とを備えたショッピングカートにおいて、
中間部保持部材は、傘の中間部を抱持して保持する抱持部を含み、左右方向に延びるハンドルバーに取り付けられ、
抱持部は、傘の中間部を保持しない非傘保持時にハンドルバーの下方に垂れていて、傘の中間部を保持する傘保持時に後方へ変位させて使用するものであることを特徴とするショッピングカート。
【請求項２】
中間部保持部材は、円管状のハンドルバーに回転可能に装着された筒状部を含み、抱持部は筒状部に連結された請求項１記載のショッピングカート。
【請求項３】
筒状部と抱持部とは、腕部を介して連結されている請求項２記載のショッピングカート。
【請求項４】
筒状部と抱持部と腕部は、樹脂又は金属で一体形成されている請求項３記載のショッピングカート。
【請求項５】
非傘保持時に、抱持部は下端ほど後方となるように傾斜して垂れている請求項３又は４記載のショッピングカート。
【請求項６】
腕部は上部よりも下部が後方へ屈曲している請求項５記載のショッピングカート。
【請求項７】
筒状部は、ハンドルバーに対し左右方向にスライド可能である請求項３〜４のいずれか一項に記載のショッピングカート。
【請求項８】
中間部保持部材は、ハンドルバーに回転不能に取り付けられた可撓性の腕部を含み、抱持部は腕部の下部に連結された請求項１記載のショッピングカート。
【請求項９】
抱持部は、リングの一部に中間部が通る切れ目があるＣリング状である請求項１〜８のいずれか一項に記載のショッピングカート。
【請求項１０】
抱持部は、切れ目のないリング状である請求項１〜８のいずれか一項に記載のショッピングカート。
【請求項１１】
抱持部は、１つ又は左右に並ぶ２つである請求項１〜１０のいずれか一項に記載のショッピングカート。
【考案の詳細な説明】
【技術分野】
【０００１】
本考案は、スーパーマーケット等で買い物をする際に使用するショッピングカートに関する。
【背景技術】
【０００２】
傘を保持することができるショッピングカートとして、特許文献１，２のように、上段のカゴ置きの横部に設けた支持部材で、傘のすぼめた状態の傘布部を保持し、カート下部に設けた石突保持部で、傘の石突を保持するようにしたものがある。しかし、傘は、ショッピングカートの横側に保持されるため、すれ違う横隣のショッピングカートや人に接触しやすいという問題があった。
【０００３】
そこで、本出願人は先に、特許文献３のように、上段のカゴ置きの後部（且つハンドルバーより前）で、傘のすぼめた状態の傘布部を保持するようにしたものや、特許文献４のように、カゴ置きの後部の傘布保持部をさらに条件付けしたものを提案した。これらによれば、傘は、ショッピングカートの後ろ側に保持されるため、上記接触の問題は解消された。
【先行技術文献】
【特許文献】
【０００４】
【特許文献１】特開平９−３９７９７号公報
【特許文献２】特開平１０−２１１８８０号公報
【特許文献３】特開２０１１−１２６４３５号公報
【特許文献４】特開２０１３−２１６２７２号公報
【考案の概要】
【考案が解決しようとする課題】
【０００５】
しかし、多くのショッピングカートは下段のカゴ置きも備えており、上段のカゴ置きと下段のカゴ置きとの前後位置関係によっては、上段のカゴ置きの後部よりも下段のカゴ置きに置いた買物カゴの後端が後ろの位置になるものもある。その場合、上段のカゴ置きの後部で傘の傘布部を保持しようとしても、その傘の下部が下段のカゴ置きに置いた買物カゴの後端に干渉してしまい、保持することができなかった。
【０００６】
そこで、本考案の目的は、上段のカゴ置きと下段のカゴ置きとの前後位置関係にかかわらず、ハンドルバーに取り付けられた中間部保持部材によって傘の中間部を保持することにより、傘をショッピングカートの後ろ側に保持することができ、また、傘を保持しないときには中間部保持部材が邪魔にならないようにすることができるショッピングカートを提供することにある。
【課題を解決するための手段】
【０００７】
上記目的を達成するため、本考案は、傘を立てて保持するために、傘の長さ方向の中間部を保持するための中間部保持部材と、傘の石突を保持するための石突保持部とを備えたショッピングカートにおいて、
中間部保持部材は、傘の中間部を抱持して保持する抱持部を含み、左右方向に延びるハンドルバーに取り付けられ、
抱持部は、傘の中間部を保持しない非傘保持時にハンドルバーの下方に垂れていて、傘の中間部を保持する傘保持時に後方へ変位させて使用するものであることを特徴とする。
【０００８】
中間部保持部材で保持する傘の中間部は、すぼめた状態の傘布部、（該傘布部と柄との間に露出した）支柱、柄のいずれでもよい。
【０００９】
中間部保持部材としては、特に限定されないが、次の態様（１）、（２）を例示できる。
（１）中間部保持部材は、円管状のハンドルバーに回転可能に装着された筒状部を含み、抱持部は筒状部に連結された態様。抱持部は自重によって、筒状部を回転させ、ハンドルバーの下方に垂れる。
この態様において、筒状部と抱持部とは、直接連結されていてもよいが、傘保持時に抱持部をより後方へ変位させることができるよう、腕部を介して連結されていることが好ましい。
また、筒状部と抱持部と腕部は、別部品が連結されたものでもよいが、部品点数削減のために、樹脂又は金属で一体形成されていることが好ましい。
また、抱持部に中間部を入れやすいように、非傘保持時に、抱持部は下端ほど後方となるように傾斜して垂れていることが好ましい。そのために、腕部は上部よりも下部が後方へ屈曲していることが好ましい。
また、筒状部は、ハンドルバーに対し左右方向にスライド不能でもよいが、長い傘を左右に傾斜させて保持できるよう、ハンドルバーに対し左右方向にスライド可能であることが好ましい。
【００１０】
（２）中間部保持部材は、ハンドルバーに回転不能に取り付けられた可撓性の腕部を含み、抱持部は腕部の下部に連結された態様。抱持部は自重によって、腕部を引張り、ハンドルバーの下方に垂れる。
この態様において、可撓性の腕部としては、樹脂、布、革等の柔軟材料からなる帯を例示できる。
【００１１】
次に、抱持部としては、特に限定されないが、リングの一部に中間部が通る切れ目があるＣリング状である態様と、切れ目のないリング状である態様とを例示できる。
また、抱持部は、１つ又は左右に並ぶ２つである態様を例示できる。
【考案の効果】
【００１２】
本考案のショッピングカートによれば、上段のカゴ置きと下段のカゴ置きとの前後位置関係にかかわらず、ハンドルバーに取り付けられた中間部保持部材によって傘の中間部を保持することにより、傘をショッピングカートの後ろ側に保持することができ、また、傘を保持しないときには中間部保持部材が邪魔にならないようにすることができる。
【図面の簡単な説明】
【００１３】
【図１】実施例１のショッピングカートを斜め後ろからみた斜視図である。
【図２】同ショッピングカートの中間部保持部材の斜視図である。
【図３】同ショッピングカートの、（ａ）は非傘保持時の右側面図、（ｂ）は傘保持時の右側面図である。
【図４】同ショッピングカートの、（ａ）は非傘保持時の背面図、（ｂ）は傘保持時の背面図である。
【図５】同ショッピングカートの、長い傘を保持した時の背面図である。
【図６】（ａ１）は中間部保持部材の変更例１の非傘保持時の斜視図、（ａ２）は同じく傘保持時の斜視図、（ｂ１）は中間部保持部材の変更例２の非傘保持時の斜視図、（ｂ２）は同じく傘保持時の斜視図である。
【考案を実施するための形態】
【００１４】
ショッピングカートは、上段のカゴ置きと、下段のカゴ置きと、上段及び下段のカゴ置きを支持する左右２本の支柱と、傘の長さ方向の中間部を保持するための中間部保持部材と、傘の石突を保持するための石突保持部とを含む。上段のカゴ置きの後部よりも下段のカゴ置きに置いた買物カゴの後端が後ろの位置になる。中間部保持部材は、傘の中間部を抱持して保持する抱持部を含み、左右方向に延びるハンドルバーに取り付けられている。抱持部は、傘の中間部を保持しない非傘保持時にハンドルバーの下方に垂れていて、傘の中間部を保持する傘保持時に後方へ変位させて使用するものである。
【実施例】
【００１５】
図１〜図５に示す実施例のショッピングカート１は、左右２本の支柱１０，１０と、上段のカゴ置き３０と、下段のカゴ置き４０と、傘３の長さ方向の中間部５（図示例ではすぼめた状態の傘布部）を保持するための中間部保持部材５０と、傘３の石突６を保持するための石突保持部６０とを含み構成されている。
【００１６】
左右２本の支柱１０，１０は、左右方向に買物カゴ７，８の左右方向の幅未満の間隔をおいて並設されている。詳しくは、各支柱１０は、その上端から前方に前傾で延びる支柱上部１１と、その前端から下方に延びる支柱前部１２と、その下端から後方に後傾で延びる支柱下部１３と、その後端から下方に延びる支柱最下部１４とを含み構成されている。
【００１７】
そして、左右の支柱上部１１，１１の後端部どうしを繋ぐ形で左右方向に延びるハンドルバー２１が設けられている。また、左右の支柱最下部１４，１４からそれぞれ前方に延びてから左右内方に延びて繋がる形（Ｕ字形）で基台フレーム２４が設けられている。その基台フレーム２４の前端部には、バンパー２５が取り付けられている。そのバンパー２５の後方に位置する基台フレーム２４の前部には、左右２つのフロントキャスタ２６，２６が、水平面内で回動可能に取り付けられている。また、左右の支柱最下部１４，１４の下端部には、左右２つのリアキャスタ２７，２７が、水平面内で回動可能に取り付けられている。
【００１８】
上段のカゴ置き３０は、前傾の左右の支柱上部１１，１１と、該支柱上部１１，１１の下方で左右方向に延びる上段下フレーム３２ａ，３２ｂと、上段下フレーム３２ａ，３２ｂの前方で左右方向に延びる上段前フレーム３１とを含み構成されている。
【００１９】
詳しくは、上段前フレーム３１は、支柱上部１１，１１の前部及び支柱下部１３，１３の前部に跨って取り付けられた上下方向及び左右方向に延びる四角形環状の前フレーム２３の上辺部により構成されている。また、上段下フレーム３２ａ，３２ｂは、前側の上段下フレーム３２ａと後側の上段下フレーム３２ｂとを含み構成されている。その前側の上段下フレーム３２ａは、前フレーム２３の左辺部及び右辺部の上部からそれぞれ後方に延びてから左右内方に延びて繋がる形（Ｕ字形）で形成されている。また、後側の上段下フレーム３２ｂは、上面視で左右方向に延びる長方形環状のフレームであって、前面視では左右の支柱上部１１，１１からそれぞれ下方に延びてから左右内方に延びて繋がる形（Ｕ字形）をしている。その後側の上段下フレーム３２ｂからは、買物カゴ７を前傾状態で支持した際の加速時等に、買物カゴ７の後部に当接して該買物カゴ７が後方に移動するのを防止するための上段後フレーム３３が延びている。その上段後フレーム３３は、後側の上段下フレーム３２ｂの左部及び右部からそれぞれ後方に延びて更に上方に屈曲して延びてから左右内方に延びて繋がる形（Ｕ字形）をしている。
【００２０】
そして、買物カゴ７を前傾状態で支持するときには、上段下フレーム３２ａ，３２ｂが買物カゴ７の底部７２に当接するとともに、上段前フレーム３１が前傾状態の買物カゴ７の前部７１に当接する。また、買物カゴ７を後傾状態で支持するときには（図示略）、上段前フレーム３１及び前側の上段下フレーム３２ａが買物カゴ７の底部７２に当接又は近接するとともに、前傾の左右の支柱上部１１，１１が後傾状態の買物カゴ７の左右の側部に当接する。
【００２１】
下段のカゴ置き４０は、左右の後傾の支柱下部１３，１３と、該支柱下部１３，１３の下方で左右方向に延びる下段下フレーム４２と、下段下フレーム４２の後方で左右方向に延びる下段後フレーム４３とを含み構成されている。
【００２２】
詳しくは、下段後フレーム４３は、左右の支柱最下部１４，１４どうしを繋ぐ形で設けられている。その下段後フレーム４３の左右両端部からそれぞれ前方に前傾で延びてから左右内方に延びて繋がる形（Ｕ字形）で底面フレーム４８が設けられている。その底面フレーム４８の左辺部及び右辺部の長さ方向中間部どうしを跨ぐ形で下段下フレーム４２が設けられている。また、底面フレーム４８の前端部には、該底面フレーム４８の上にダンボール箱等の荷物を置いた際に、該荷物の前部に当接して該荷物が前方に滑り落ちるのを防止するための前ストッパ４９が設けられている。その前ストッパ４９は、底面フレーム４８の前辺部の左部及び右部からそれぞれ上方に延びてから左右内方に延びて繋がる形（Ｕ字形）で形成されている。また、前フレーム２３の左辺部及び右辺部は、後傾状態の買物カゴ８の前部に当接する下段前フレーム４１，４１を構成している。
【００２３】
そして、買物カゴ８を後傾状態で支持するときには、下段下フレーム４２が買物カゴ８の底部８２に当接するとともに、下段後フレーム４３が後傾状態の買物カゴ８の後部８３に当接する。また、買物カゴ８を前傾状態で支持するときには（図示略）、下段後フレーム４３が買物カゴ８の底部８２に当接するとともに、後傾の支柱下部１３，１３が前傾状態の買物カゴ８の左右の側部に当接する。
【００２４】
上段のカゴ置き３０と下段のカゴ置き４０との前後位置関係は、上段のカゴ置き３０の後部（上段下フレーム３２ｂ）よりも下段のカゴ置き４０に置いた買物カゴ８の後端が後ろの位置になる関係になっている。そのため、上段のカゴ置き３０の後部で傘３の中間部５を保持しようとしても、その傘３の下部が下段のカゴ置き４０に置いた買物カゴ８の後端に干渉してしまう。そこで、ハンドルバー２１に取り付けられた中間部保持部材５０によって傘３の中間部５を保持するようにしている。
【００２５】
中間部保持部材５０は、傘３の中間部５を抱持して保持する抱持部５１と、円管状のハンドルバー２１に回転可能に装着された筒状部５２と、筒状部５２から下方へ延びて抱持部５１を筒状部５２に連結する腕部５３と、筒状部５２から上方へ突出した表示部５４とが、樹脂で一体形成されてなる。傘３の中間部５を保持しない非傘保持時に、抱持部５１は腕部５３と共に自重によって、筒状部５２を回転させ、ハンドルバー２１の下方に垂れる。そして、傘３の中間部５を保持する傘保持時に、抱持部５１は、傘３が後方に傾いて寄りかかる力によって、筒状部５２を回転させ、後方へ変位する。
【００２６】
抱持部５１は、リングの左側部に傘３の中間部５が通る切れ目があるＣリング状（フック状）のものであり、傘３の中間部５の半周以上を囲んで抱持することができる。
【００２７】
筒状部５２は、ハンドルバー２１に対し左右方向にスライド可能である。
【００２８】
腕部５３は、抱持部５１を筒状部５２から遠ざけるので、傘保持時に抱持部をより後方へ変位させることができる。本実施例の腕部５３は、上部よりも下部が後方へ屈曲した形状のものである。同形状により、非傘保持時に、抱持部５１は下端ほど後方となるように傾斜して垂れることになる。このときの抱持部５１の鉛直線に対する傾斜角αは、例えば２５〜４５度である。
【００２９】
表示部５４は、中間部保持部材５０の用途を買物客に分からせるために、傘のマークと杖のマークとを備えている。
【００３０】
次に、石突保持部６０は、下段後フレーム４３の一端部付近から後方に突出したＵ字状の突起であって、そのＵ字状の突起と下段後フレーム４３とによって傘３の石突６が嵌入しうるリング状に形成されている。この石突保持部６０よりも非傘保持時の抱持部５１は後方の位置にある。
【００３１】
また、この石突保持部６０の上方には、杖の先端部を周囲から保持するための杖端保持部６５が設けられている。その杖端保持部６５は、下段後フレーム４３の一端部付近から後方に突出した、石突保持部６０よりも一回り大きいＵ字状の突起である。
【００３２】
以上のように構成されたショッピングカート１は、上段のカゴ置き３０と下段のカゴ置き４０にそれぞれ買物カゴ７，８を置き、手でハンドルバー２１をつかみ押し引きして使用される。前述のとおり、傘３を立てて保持しないときには、中間部保持部材５０の抱持部５１及び腕部５３はハンドルバー２１の下方に垂れているため、邪魔にならない。
【００３３】
そして、傘３を立てて保持するときには、図３（ａ）及び図４（ａ）に示すように、立てた姿勢の傘３の中間部５を、横にスライドさせ、非傘保持時の抱持部５１にその切れ目を通して入れる。この横にスライドさせる操作は、傘３を抱持部５１にその上方から差し込む操作よりも、簡単かつ楽に行うことができる。また、このとき、前述のとおり抱持部５１が傾斜しているため、傘３の中間部５を入れやすい。
【００３４】
次に、傘３の石突６を石突保持部６０に嵌入させると、前述のとおり、石突保持部６０よりも非傘保持時の抱持部５１は後方の位置にあるため、傘３は後方に傾いて抱持部５１に寄りかかる。この力によって、図３（ｂ）及び図４（ｂ）に示すように、筒状部５２が回転し、抱持部５１は後方へ変位し、鉛直線に対する傾斜角は、例えば５０度以上（図示例では６０〜８０度）になる。加えて、腕部５３が、抱持部５１をより後方へ変位させる。このため、傘３の中間部５がハンドルバー２１よりも相当に後方の位置で保持され、前述した上段のカゴ置き３０と下段のカゴ置き４０との前後位置関係にかかわらず、傘３の下部が下段のカゴ置き４０に置いた買物カゴ８の後端に干渉されなくなる。もって、傘３をショッピングカート１の後ろ側に保持することができる。
【００３５】
また、図５に示すように、ハンドルバー２１に対し左方向にスライドさせれば、長い傘３であってもそれを左右に傾斜させて保持できるため、傘３がハンドルバー２１よりも上方へ突出する高さを抑えて邪魔にならないようにできる。
【００３６】
なお、杖（図示略）をを立てて保持するときにも、上記の傘３と同じ操作で行うことができる。但し、杖の下端は杖端保持部６５に保持される。
【００３７】
なお、本考案は前記実施例の構成に限定されるものではなく、例えば以下のように、考案の趣旨から逸脱しない範囲で適宜変更して具体化することもできる。
【００３８】
（１）変更例１の中間部保持部材５０を、図６（ａ１：非傘保持時）（ａ２：傘保持時）に示す。この変更例１は、横に並ぶ２つの抱持部５１を備える点においてのみ、実施例の中間部保持部材５０と相違するものである。両抱持部５１のリングの切れ目は互いに反対側を向く。また、石突保持部（図示略）も２つ備えている。この変更例１によれば、２本の傘を保持することができる。
【００３９】
（２）変更例２の中間部保持部材５０を、図６（ｂ１：非傘保持時）（ｂ２：傘保持時）に示す。この変更例２は、抱持部５１を切れ目のないリング状にした点においてのみ、実施例の中間部保持部材５０と相違するものである。この変更例２によれば、傘３を抱持部５１にその上方から差し込む操作が必要にはなるが、傘３をより外れないように保持することができる。
【００４０】
（３）筒状部（ハンドルバーに対し回転可能）と腕部とを可撓性の帯（樹脂、布、革等の柔軟材料からなる）で一体形成し、抱持部を樹脂で切れ目のないリング状に形成して腕部に連結して、中間部保持部材を構成することができる。
【００４１】
（４）ハンドルバーに回転不能に取り付けられた腕部を可撓性の帯（樹脂、布、革等の柔軟材料からなる）で形成し、抱持部を樹脂で切れ目のないリング状に形成して腕部に連結して、中間部保持部材を構成することができる。
【符号の説明】
【００４２】
１    ショッピングカート
３    傘
５    中間部
６    石突
７    買物カゴ
８    買物カゴ
１０    支柱
２１    ハンドルバー
３０    上段のカゴ置き
３２ｂ  上段下フレーム
４０    下段のカゴ置き
５０    中間部保持部材
５１    抱持部
５２    筒状部
５３    腕部
５４    表示部
６０    石突保持部
６５    杖端保持部
【図１】
0003211631.tif 000003
【図２】
0003211631.tif 000004
【図３】
0003211631.tif 000005
【図４】
0003211631.tif 000006
【図５】
0003211631.tif 000007
【図６】
0003211631.tif 000008